(57)【特許請求の範囲】
【請求項１】
種々の情報を表示する表示手段と、
コンテンツ及びコンテンツ情報を記憶する記憶手段と、
コンテンツを複製し、被コピーコンテンツとして前記記憶手段に記憶する複製手段と、
複製元となったコンテンツをオリジナルコンテンツとして特定するコンテンツ情報を、被コピーコンテンツに付加する識別情報付加手段と、
コンテンツ及びコンテンツに付加されたコンテンツ情報を他の電子機器との間で送信あるいは受信する送受信手段と、
コンテンツに含まれる情報の少なくとも一部を変更し、被加工コンテンツとして前記記憶手段に記憶する加工手段と、
コンテンツ情報に基づいて、コンテンツ情報に含まれる情報のうち、少なくとも一部が共通する情報を有するコンテンツをグループ化したコンテンツリストを前記表示手段に表示する制御部と
を有し、
前記識別情報付加手段は、前記加工手段の加工元となったコンテンツをオリジナルコンテンツとして特定するコンテンツ情報を、被加工コンテンツに付加し、
前記制御部はコンテンツ情報に基づいて、前記オリジナルコンテンツと前記被加工コンテンツをグループ化したコンテンツリストを前記表示手段に表示することを特徴とする電子機器。
【請求項２】
前記複製手段によって複製されるコンテンツを選択する選択手段とを更に有し、
前記選択手段は、コンテンツ情報に基づいて、コンテンツリストにおけるグループ化されたコンテンツのうち、オリジナルコンテンツであると判断したコンテンツを当該複製されるコンテンツとして選択する
を特徴とする請求項１記載の電子機器。
【請求項３】
前記表示手段は更にコンテンツを再生表示させるものであって、
前記表示手段によって再生表示されるコンテンツを選択する選択手段とを更に有し、
前記選択手段は、前記表示手段の表示能力に応じて、グループ化されたオリジナルコンテンツあるいは被コピーコンテンツあるいは被加工コンテンツのうち１つのコンテンツを選択すること
を特徴とする請求項１又は２記載の電子機器。
【請求項４】
コンテンツを選択する選択手段とを更に有し、
前記送受信手段は、他の電子機器の表示能力情報を受信し、また前記選択手段により選択されたコンテンツを他の電子機器に再生せしめる再生指示を送信し、
前記選択手段は、前記送受信手段を介して受信した表示能力情報に応じて、グループ化されたオリジナルコンテンツあるいは被コピーコンテンツあるいは被加工コンテンツのうち１つのコンテンツを選択すること
を特徴とする請求項１又は２記載の電子機器。
【発明の詳細な説明】
【技術分野】
【０００１】
本発明はネットワーク通信を通じてコンテンツを共有する電子機器に関する。
【背景技術】
【０００２】
デジタルコンテンツ再生機器や録画機器（以下、単に電子機器と記す）を家庭内に複数有する使用者が、電子機器間でコンテンツの移動やコピーを行う機会が増加している。コンテンツがデジタル化されたコンテンツの記録媒体間のコピーや移動を制限する、ＣＰＰＭ（Ｃｏｎｔｅｎｔ  Ｐｒｏｔｅｃｔｉｏｎ  ｆｏｒ  Ｐｒｅｒｅｃｏｒｄｅｄ  Ｍｅｄｉａ）等のコピーコントロール技術によって保護されている場合、使用者は自身が所有する電子機器間でのコンテンツのコピー操作を行う場合であっても、そのコピー操作に制限を受けることとなる。こうした不利益を避けるために、同じ使用者あるいはグループが所有する電子機器にはコンテンツをデジタルコピーすることが可能な発明が公開されている（例えば、特許文献１を参照）。
【先行技術文献】
【特許文献】
【０００３】
【特許文献１】特開２００６−５９３２９
【発明の概要】
【発明が解決しようとする課題】
【０００４】
ところで、家庭内に存在する複数の電子機器間をネットワーク接続したホームネットワークを構築し、各電子機器に保存されたコンテンツの移動操作や検索操作を可能にする、所謂ＤＬＮＡ（Ｄｉｇｉｔａｌ  Ｌｉｖｉｎｇ  Ｎｅｔｗｏｒｋ  Ａｌｌｉａｎｃｅ）技術が近年実用化されている。電子機器の使用者はこうしたＤＬＮＡ技術を使用することにより、例えば所望のコンテンツを複数の電子機器を跨って検索し、どの電子機器に所望のコンテンツが保存されているかを知ることができる。
【０００５】
しかし特許文献１に示したような技術を用いて、電子機器間でのコンテンツのコピー操作を行うと、ホームネットワーク中には同一のタイトルを有するコンテンツが複数存在することとなる。このような状況で使用者が所望のタイトルを持つコンテンツを検索すると、検索結果として同じコンテンツが複数表示されてしまう。複数のコンテンツが表示されてしまうことで、使用者が所望のコンテンツを選択する際の利便性が低下する虞があった。
【０００６】
本発明は上記問題点を解決するためになされたもので、オリジナルコンテンツとオリジナルコンテンツから派生してコピーあるいは加工されたコンテンツとを区別することが可能な電子機器に関する。
【課題を解決するための手段】
【０００７】
前記目的を達成するために、本発明の電子機器は、種々の情報を表示する表示手段と、コンテンツ及びコンテンツ情報を記憶する記憶手段と、コンテンツを複製し、被コピーコンテンツとして前記記憶手段に記憶する複製手段と、複製元となったコンテンツをオリジナルコンテンツとして特定するコンテンツ情報を、被コピーコンテンツに付加する識別情報付加手段と、コンテンツ及びコンテンツに付加されたコンテンツ情報を他の電子機器との間で送信あるいは受信する送受信手段と、コンテンツに含まれる情報の少なくとも一部を変更し、被加工コンテンツとして前記記憶手段に記憶する加工手段と、コンテンツ情報に基づいて、コンテンツ情報に含まれる情報のうち、少なくとも一部が共通する情報を有するコンテンツをグループ化したコンテンツリストを前記表示手段に表示する制御部とを有し、前記識別情報付加手段は、前記加工手段の加工元となったコンテンツをオリジナルコンテンツとして特定するコンテンツ情報を、被加工コンテンツに付加し、前記制御部はコンテンツ情報に基づいて、前記オリジナルコンテンツと前記被加工コンテンツをグループ化したコンテンツリストを前記表示手段に表示することを特徴とする。
【発明の効果】
【０００８】
本発明によれば、オリジナルコンテンツと、オリジナルコンテンツから派生してコピーあるいは加工されたコンテンツとを区別して表示することが可能な電子機器を提供することができる。
【図面の簡単な説明】
【０００９】
【図１】本実施形態におけるホームネットワークの構成を示す図。
【図２】本実施形態における携帯端末の内部構成を示す図。
【図３】本実施形態におけるコンテンツ録画機器の内部構成を示す図。
【図４】本実施形態におけるコンテンツコピー操作及びコンテンツ変換操作の様子を示す図。
【図５】本実施形態におけるコンテンツ検索操作の様子を示す図。
【図６】本実施形態におけるコンテンツ検索結果表示の一例を示す図。
【図７】本実施形態におけるコンテンツ検索処理の流れを示すフロー図。
【図８】本実施形態におけるコンテンツ転送操作の様子を示す図。
【図９】本実施形態におけるコンテンツ転送処理の流れを示すフロー図。
【図１０】本実施形態におけるコンテンツ再生操作の様子を示す図。
【図１１】本実施形態におけるコンテンツ再生処理の流れを示すフロー図。
【図１２】本実施形態におけるコンテンツコピー操作の様子を示す図。
【図１３】本実施形態におけるコンテンツコピー処理の流れを示すフロー図。
【発明を実施するための形態】
【００１０】
以下、本発明の実施の形態について、図面を参照して説明する。
【００１１】
（ホームネットワークの構成）
図１は、本発明の一実施形態に関わる電子機器によって構成される、ホームネットワークの一例を示す概念図である。ホームネットワークは例えば図１に示すように、テレビ１、携帯端末２、録画機器３、録画機器４、及びアクセスポイント５から構成される。以下、テレビ１、携帯端末２、録画機器３、及び録画機器４を総称して電子機器と記載する。各電子機器はアクセスポイント５との通信を行う機能を備えており、例えばイーサネット（登録商標。以下同じ）を利用した有線接続や、無線ＬＡＮを利用した無線接続によって機器間の通信を行う。また、ホームネットワークはアクセスポイント５を介さず、電子機器間を直接通信回線によって接続することで構成しても構わない。また、ホームネットワークは有線接続と無線接続とが混在するものであっても構わない。
【００１２】
（携帯端末の構成）
図２は、携帯端末２の内部構成を示すブロック図である。
【００１３】
近距離無線通信部２０１は、ホームネットワーク内にある電子機器との通信を行う。近距離無線通信部２０１は、その通信手段として例えばＩＥＥＥ８０２．１１ｂやＩＥＥＥ８０２．１１ｇなどの通信方式のような無線ＬＡＮを用いることができる。あるいは、イーサネットなどの有線接続を用いることができる。近距離無線通信部２０１が用いる通信手段はここに列挙したものに限定されず、種々の通信方法を用いることができる。近距離無線通信部２０１が取得した無線信号は後述するメイン制御部２０６へ送信される。
【００１４】
操作キー２０２は、押しボタンなどによって構成される、所謂ハードキーを用いて構成することができる。また、タッチパネルなどを用いて構成しても構わない。操作キー２０２が受けた入力は入力信号としてメイン制御部２０６へと送信される。
【００１５】
ディスプレイ２０３は、メイン制御部２０６あるいはコンテンツ再生処理部２１７から送信された表示指示信号に従って文字あるいは画像を表示する。ディスプレイ２０３は、例えばＬＣＤ（Ｌｉｑｕｉｄ  Ｃｒｙｓｔａｌ  Ｄｉｓｐｌａｙ）や有機ＥＬ（Ｅｌｅｃｔｒｏ  Ｌｕｍｉｎｅｓｃｅｎｃｅ）を用いて構成することができるが、その構成方法はここに列挙するものに限定されない。
【００１６】
スピーカ２０４は、メイン制御部２０６あるいはコンテンツ再生処理部２１７から送信された音声データに従って音声を出力する。
【００１７】
メイン制御部２０６は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などの電子回路から構成される。ＣＰＵは、ＲＯＭに記憶されているプログラム、またはＲＡＭにロードされた各種のアプリケーションプログラムに従って処理を実行する。更にＣＰＵは、先述した各回路部から供給される信号を処理し、また種々の制御信号を生成し、携帯端末２を制御する各回路部へと供給する。これらの処理により、ＣＰＵは携帯端末２を統括的に制御する。また、ＲＡＭにはＣＰＵが各種の処理を実行する上で必要なデータが記憶される。
【００１８】
記憶部２２０は、例えば電気的に書き換えや消去が可能な不揮発性メモリであるフラッシュメモリ素子や、ＨＤＤ（Ｈａｒｄ  Ｄｉｓｃ  Ｄｒｉｖｅ）などから構成される。記憶部２２０には、メイン制御部２０６のＣＰＵにより実行される種々のアプリケーションプログラムやデータ群が格納されている。また、記憶部２２０にはコンテンツ再生処理部２１７によって再生されるコンテンツの画像データ及び音声データ、コンテンツリスト、及びコンテンツに付加されたコンテンツ情報が格納されている。このコンテンツ情報には、例えばコンテンツが画素として含む解像度の情報や、コンテンツが符号化されている符号化方式や、コンテンツの音声データが有する音声チャネル数や、コンテンツのタイトル名や、コンテンツの容量の大きさや、コンテンツが保存されている場所を示すアドレス情報や、コンテンツの作成日情報や、コンテンツの再生可能回数の情報や、コンテンツのコピー可能な回数の情報や、各コンテンツに付与されるコンテンツ識別情報などが含まれる。また、コンテンツがオリジナルコンテンツから派生して作成された場合はオリジナルコンテンツのコンテンツ識別情報を示すオリジナルコンテンツ識別情報などが含まれる。
【００１９】
ネットワークサービス制御部２０７は、先述した近距離無線通信部２０１を用いて各電子機器に保存されたコンテンツを視聴、検索、あるいはコピーするための制御を行う。
【００２０】
コンテンツ取得制御部２０８は、ネットワークサービス制御部２０７の制御に従ってホームネットワーク内の他の電子機器に保存されたコンテンツ、あるいはコンテンツ情報を取得するための制御を行う。取得したコンテンツ及びコンテンツ情報は記憶部２２０へと送信され、記憶部２２０に格納される。また、コンテンツ取得制御部２０８は、コンテンツ情報内に含まれるコンテンツのタイトル情報やオリジナルコンテンツ識別情報を比較する。これにより、コンテンツがオリジナルコンテンツであるか、あるいはオリジナルコンテンツからコピーされた被コピーコンテンツであるか、あるいはオリジナルコンテンツから加工された被加工コンテンツであるかを判断し、制御部２０６へと送信する。
【００２１】
外部機器制御部２１１は、近距離無線通信部２０１を用いてホームネットワーク内の他の電子機器にコンテンツの再生を指示する。また、外部機器制御部２１１は近距離無線通信部２０１を用いて、コンテンツの再生が指示された電子機器の再生能力情報を取得する。この電子機器の再生能力情報には、例えば電子機器がコンテンツを再生する際の解像度の情報や、電子機器が再生可能な動画像の符号化方式、あるいは電子機器が個別に制御可能なスピーカの数の情報などが含まれる。なお、外部機器制御部２１１が取得する情報はここに列挙するものに限られない。また、外部機器制御部２１１は、近距離無線通信部２０１を用いてホームネットワーク内のほかの電子機器に、コンテンツの再生、停止、早送りなどの再生指示を行う信号を送信する。
【００２２】
メイン制御部２０６は、記憶部２２０から出力された、再生を指示するコンテンツのコンテンツ情報と、外部機器制御部２１１から出力された、再生を指示する電子機器の情報とを比較する。この比較によって、再生を指示する電子機器が再生を指示するコンテンツを再生可能であるか否かを判断する。例えば、再生を指示する電子機器が再生可能な動画の符号化方式と、再生を指示するコンテンツが符号化されている動画の符号化方式が異なる場合には、電子機器でこのコンテンツを再生することができない。この様な場合には、メイン制御部２０６はこの判断結果を受けて、外部機器制御部による再生指示信号の送信を中止させると共に、例えばディスプレイ２０３やスピーカ２０４によって電子機器によるコンテンツの再生ができないことを携帯端末２の使用者に報知する。
【００２３】
コンテンツ再生処理部２１７は、記憶部２２０に格納されたコンテンツをデコード処理し、画像データ、音声データを取り出す。そして、取り出した画像データをディスプレイ２０３に、音声データをスピーカ２０４にそれぞれ出力する。
【００２４】
（録画機器の構成）
図３は、録画機器３の内部構成を示すブロック図である。近距離無線通信部３０１、操作キー３０２、メイン制御部３０６、ネットワークサービス制御部３０７、外部機器制御部３０９、コンテンツ再生処理部３１１、及び記憶部３２０については、図２を参照して説明した各ブロックと同等の機能を有するため、説明を省略する。
【００２５】
画像データ出力部３０３は、テレビ１や携帯端末２などの、録画機器３に接続された電子機器への画像データの出力を行う。音声データ出力部３０４は、テレビ１や携帯端末２などの、録画機器３に接続された電子機器への音声データの出力を行う。なお、画像データ出力部３０３と音声データ出力部３０４は必ずしも別々に設けられる必要はなく、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）形式の接続によって画像データと音声データとを一括して出力するものを用いても構わない。
【００２６】
放送波受信部３０５は、テレビ放送に用いられる地上波や衛星放送などの無線信号を受信し、無線信号の信号処理を行う。放送波受信部３０５は無線信号を信号処理することで、これを例えば映像信号、画像データ、及びコンテンツに付加されるメタ情報などに分解する。ここで、無線信号はアナログ方式、デジタル方式いずれの方式を採るものであっても構わない。また、放送波受信部が受信する信号はテレビ放送に供される信号に限られるものではなく、例えばラジオ放送や、インターネット通信に用いられる信号を受信するものであっても構わない。また、放送波受信部３０５は、放送波受信部３０５や近距離無線通信部３０１が受信したコンテンツの画像情報、音声情報、あるいはメタ情報などを記憶部３２０へ送信し格納するよう制御する。
【００２７】
コンテンツ取得制御部３０８は、図２を参照して説明したコンテンツ取得制御部２０８が有する機能に加えて、放送波受信部３０５や近距離無線通信部３０１から受信したコンテンツを記憶部３２０に格納するよう制御し、またコンテンツに付加されるコンテンツ情報の管理を行う。また、コンテンツ取得制御部３０８は、コンテンツを構成するデータから、特定の規則に従ってコンテンツ識別情報を生成する。従って、コンテンツ取得制御部３０８は、コンテンツを構成するデータが同一であるコンテンツに対しては、同一のコンテンツ識別情報を生成することとなる。コンテンツ識別情報の生成方法としては、コンテンツ取得制御部３０８がコンテンツを構成するデータを元としてＭＤ５（Ｍｅｓｓａｇｅ  Ｄｉｇｅｓｔ  ５）などのハッシュ関数に代入し、そのハッシュ関数の計算結果をコンテンツ識別情報として用いる方法が考えられる。あるいは、コンテンツを構成するデータの先頭の一部分のデータを取得し、これをコンテンツ識別情報として用いても構わない。
【００２８】
コンテンツ変換処理部３１０は、例えば記憶部３２０に記憶されたコンテンツが符号化されている符号化方式を、別の符号化方式のものへと変換するよう制御する。また、コンテンツ変換処理部３１０は、記憶部３２０に記憶されたコンテンツの他の要素、例えばコンテンツの解像度や、コンテンツの再生時間や、コンテンツの音声情報や、あるいはコンテンツ情報の一部を変換するものであっても構わない。
【００２９】
なお、携帯端末２、録画機器３及び録画機器４は、ここに述べたものとは異なる機能を有していても構わないし、あるいは一部の機能を省略して構成しても構わない。また、携帯端末２は録画機器３及び録画機器４が有する機能を有していても構わないし、録画機器３及び録画機器４は携帯端末２が有する機能を有していても構わない。
【００３０】
（コンテンツ情報）
図４は、ホームネットワーク中の各電子機器の記憶部に格納されたコンテンツに付加されている、コンテンツ情報の一例を示した図である。以下、図４を参照しながら、コンテンツ１０がコピー操作や、コンテンツ変換処理部３１０によるコンテンツの変換操作を受けた場合に、どのようなコンテンツ情報が付加されるかについて説明する。
【００３１】
例として、まず録画機器３内の記憶部３２０に、タイトル「Ｆｏｏ」なるコンテンツ１０が格納されているものとする。コンテンツ１０は、例えば録画機器３の放送波受信部３０５によって記憶部３２０に格納されたものや、あるいは電子機器の使用者が作製し記憶部３２０に格納したものであっても構わない。コンテンツ取得制御部３０８は、コンテンツ１０に対してコンテンツ情報を付加して記憶部３２０に格納する。コンテンツ情報には、図４に示すようにコンテンツのタイトル情報、コンテンツの保存されているネットワーク上のアドレスを示す情報、コンテンツが符号化されている符号化方式を示す動画形式情報、コンテンツの解像度を示す情報、コンテンツの作成日を示す情報が記されている。また、コンテンツ１０に対してコピー操作や変換操作を施すことが許可されている場合は、これらの操作を行える回数がコピー可能回数としてコンテンツ情報に記される。以下、他のコンテンツからコピー操作あるいは変換操作を受けて生成されたものでないコンテンツを、単にオリジナルコンテンツとして記載する。
【００３２】
コンテンツ取得制御部３０８は、先に述べたコンテンツ情報の他に、コンテンツ１０にコンテンツ識別情報「１２３４５６７８」を付加する。また、コンテンツ１０はオリジナルコンテンツである。また、コンテンツ取得制御部３０８は、コンテンツ１０にオリジナルコンテンツ識別情報を付加する。オリジナルコンテンツ識別情報には、そのコンテンツがコピー操作か変換操作によって生成されたコンテンツである場合には、コピー操作か変換操作の元となったコンテンツのコンテンツ識別情報が記される。一方、そのコンテンツがオリジナルコンテンツである場合には、オリジナルコンテンツ識別情報には「なし」という情報が付加される。コンテンツ１０はオリジナルコンテンツであるため、コンテンツ取得制御部３０８はオリジナルコンテンツ識別情報に「なし」という情報を付加する。
【００３３】
次に、コンテンツ１０を録画機器４がコピーした場合を考える。このコピー操作によって録画機器４が生成したコンテンツ１１は、録画機器４内の記憶部に格納される。録画機器４内のコンテンツ識別情報生成部は、コンテンツ１１が生成したことに応じてコンテンツ１１にコンテンツ情報を付加して録画機器４内の記憶部へ格納する。録画機器４内のコンテンツ識別情報生成部は、図４に示すように、コンテンツ１０と同様のコンテンツ１１のタイトル情報、コンテンツ１１が符号化されている符号化方式を示す動画形式情報、コンテンツ１１の解像度を示す情報、コンテンツ１１の作成日を示す情報、及びコンテンツ識別情報を付加する。そして、録画機器４内のコンテンツ識別情報生成部は、コンテンツ１１の保存されているインターネット上のアドレスに合わせてコンテンツ１１のアドレス情報を付加する。更に録画機器４内のコンテンツ識別情報生成部は、オリジナルコンテンツ識別情報として、コンテンツ１１がコピーされた元のコンテンツであるコンテンツ１０のコンテンツ識別情報「１２３４５６７８」を付加する。また、コピー操作によって生成されたコンテンツを、更にコピー操作あるいは変換操作を禁止する場合には、録画機器４内のコンテンツ識別情報生成部は、コピー可能回数として「０回」という情報をコンテンツ１１に付加する。
【００３４】
次に、録画機器３内のコンテンツ変換処理部３１０が、コンテンツ１０をコンテンツ１０とは異なる符号化方式で符号化され、コンテンツ１０と異なる解像度を有するコンテンツ１２へ変換した場合を考える。この変換操作によってコンテンツ変換処理部３１０が生成したコンテンツ１２は、記憶部３２０に格納される。コンテンツ取得制御部３０８は、コンテンツ１２が生成したことに応じてコンテンツ１２にコンテンツ情報を付加して記憶部３２０に格納する。コンテンツ取得制御部３０８は、図４に示すように、コンテンツ１０と同様のコンテンツのタイトル情報、及びコンテンツ識別情報を付加する。そして、コンテンツ取得制御部３０８は、コンテンツ１２が符号化されている符号化方式を示す動画形式情報、コンテンツ１２の解像度を示す情報、コンテンツ１２の作成日を示す情報、コンテンツ１２の保存されているインターネット上のアドレスに合わせてコンテンツ１２のアドレス情報を付加する。更にコンテンツ取得制御部３０８は、オリジナルコンテンツ識別情報として、コンテンツ１２が変換生成された元のコンテンツであるコンテンツ１０のコンテンツ識別情報「１２３４５６７８」を付加する。また、コンテンツ取得制御部３０８は、コンテンツ１２を構成するデータに従って、コンテンツ識別情報「８７６５４３２１」を付加する。また、ダビング１０によって保護されたコンテンツにおいては、変換操作によって生成されたコンテンツを、更にコピー操作あるいは変換操作することができない。そのため、コンテンツ取得制御部３０８は、コピー可能回数として「０回」という情報をコンテンツ１２に付加する。
【００３５】
（コンテンツのリスト表示）
図５は、携帯端末２がホームネットワーク中の録画機器３，４の記憶部に格納されているコンテンツを検索する様子を示した図である。図６は、この検索操作によって得られた検索結果をリスト表示する画面表示例である。図７は、コンテンツを検索した際の各電子機器における処理の流れを示したフローチャートである。以下、図５、図６、及び図７を参照しながら、携帯端末２がコンテンツ検索を行った場合に、各電子機器がどのような処理を行うのかについて説明する。なお、図５のホームネットワーク中の録画機器４内の記憶部には、図４を参照して述べたコンテンツ１０、コンテンツ１１、及びコンテンツ１２に加えて、オリジナルコンテンツであるコンテンツ１３が格納されているものとする。
【００３６】
まず、携帯端末２の近距離無線通信部２０１が、ホームネットワーク中の録画機器３，４の記憶部に格納されているコンテンツを検索し、これを一覧表示する指示を各電子機器へ送信する（ステップ１００１及びステップ１００２）。
【００３７】
録画機器３はこの検索指示を近距離無線通信部３０１によって受信し、メイン制御部３０６へと送信する。メイン制御部３０６はこの検索指示を受けて、記憶部３２０内に格納されたコンテンツ情報を参照する。そして、メイン制御部３０６は記憶部３２０内に格納されたコンテンツ情報を、近距離無線通信部３０１を用いて携帯端末２へ送信する（ステップ１００３）。ここで、記憶部３２０内に格納されているコンテンツはコンテンツ１０とコンテンツ１１の２つであるため、録画機器３はこの２つのコンテンツ情報を携帯端末２へ送信することとなる。録画機器４でも同様の処理が行われ、録画機器４の記憶部に格納されたコンテンツ情報が携帯端末２へと送信される（ステップ１００４）。同様に、録画機器４の記憶部内に格納されているコンテンツはコンテンツ１２とコンテンツ１３の２つであるため、録画機器４はこの２つのコンテンツ情報を携帯端末２へと送信することとなる。
【００３８】
次に、携帯端末２は近距離無線通信部２０１によって、録画機器３と録画機器４から送信されたコンテンツ情報の受信を行う。近距離無線通信部２０１は、受信したコンテンツ情報をメイン制御部２０６へと送信する。メイン制御部２０６は、受信したコンテンツ情報をコンテンツ取得制御部２０８へと送信する。コンテンツ取得制御部２０８は、受信したコンテンツ情報が予めコンテンツリストとして記憶部２２０に格納されているコンテンツ情報と一致するか否かを比較する（ステップ１００５）。コンテンツ取得制御部２０８が、受信したコンテンツ情報はコンテンツリストに既に格納されている、と判断した場合は（ステップ１００５のＹＥＳ）、携帯端末２のディスプレイ２０３にコンテンツリストを表示し（ステップ１０１０）、処理を終了する。一方、コンテンツ取得制御部２０８が、受信したコンテンツ情報のうちコンテンツリストに含まれないコンテンツ情報がある、と判断した場合は（ステップ１００５のＮＯ）、コンテンツ取得制御部２０８は、当該コンテンツ情報を参照し、コンテンツ識別情報及びオリジナルコンテンツ識別情報を読み出す（ステップ１００６）。そして、コンテンツ取得制御部２０８は当該コンテンツ情報がコンテンツリストにあるコンテンツのコンテンツ情報と関連があるか否かを判断する（ステップ１００７）。ここで、関連があるか否かの判断は、コンテンツリストに登録されたコンテンツと新たに受信したコンテンツ情報のコンテンツとが、次の２つの関係にあるか否かで判断する。１つ目は、オリジナルコンテンツと、オリジナルコンテンツからコピーされたコンテンツ（以下、単に被コピーコンテンツと記載する）の関係、２つ目は、オリジナルコンテンツと、オリジナルコンテンツから変換されたコンテンツ（以下、単に被変換コンテンツと記載する）の関係である。例えばコンテンツ１０とコンテンツ１１とは、オリジナルコンテンツと被コピーコンテンツとの関係にあるため、コンテンツ取得制御部２０８は両者を関係があるコンテンツとして判断する。一方、コンテンツ１０とコンテンツ１３とは、両者がオリジナルコンテンツであるため、コンテンツ取得制御部２０８は両者を関係がないコンテンツとして判断する。コンテンツ取得制御部２０８が受信したコンテンツ情報がコンテンツリストにあるコンテンツのコンテンツ情報と関連がないとメイン制御部２０６が判断した場合（ステップ１００７のＮＯ）は、メイン制御部２０６は、受信したコンテンツ情報を新規コンテンツとしてコンテンツリストに登録し、このコンテンツリストを記憶部２２０に格納し（ステップ１００８）、ステップ１００５に戻る。一方、コンテンツ取得制御部２０８が受信したコンテンツ情報がコンテンツリストにあるコンテンツのコンテンツ情報と関連があるとメイン制御部２０６が判断した場合（ステップ１００７のＹＥＳ）は、メイン制御部２０６は受信したコンテンツ情報を関係のあるコンテンツとグループ化してコンテンツリストに登録して記憶部２２０に格納し（ステップ１００９）、ステップ１００５に戻る。
【００３９】
先述した検索処理によってメイン制御部２０６が記憶部２２０に格納されたコンテンツリストの更新を終えると、メイン制御部２０６はディスプレイ２０３にコンテンツリストを表示するよう制御する。図６（ａ）に、メイン制御部２０６がディスプレイ２０３に表示するコンテンツリストの表示例を示す。
【００４０】
図５に述べたホームネットワークにおいてコンテンツリストの表示を行う場合、コンテンツ取得制御部２０８がコンテンツリストに登録したコンテンツは、コンテンツ１０、コンテンツ１１、コンテンツ１２、及びコンテンツ１３の４つとなる。この４つのコンテンツのうち、コンテンツ１１及びコンテンツ１２は、オリジナルコンテンツであるコンテンツ１０から生成した被コピーコンテンツあるいは被変換コンテンツである。そのため、コンテンツ取得制御部２０８は、図７を参照して述べたステップ１００９で、これら３つを関係があるコンテンツとしてグループ化してコンテンツリストに登録する。従って、図６（ａ）に示すように、メイン制御部２０６は、コンテンツ１０、コンテンツ１１、コンテンツ１２を同一のタイトル「Ｆｏｏ」を持つコンテンツとして一纏めにして、コンテンツリストを表示する。一方で、これらのコンテンツと関係がないとして判断されたコンテンツ１３はタイトル「Ｂａａ」を持つコンテンツとして別に表示される。そして、タイトル「Ｆｏｏ」を持つコンテンツがコンテンツリストに３つ登録されていることを示すために、タイトル「Ｆｏｏ」が表示されているウインドウの右側に、コンテンツ数「３」を表示する。
【００４１】
また、携帯端末２の使用者が操作キー２０２を用いてコンテンツリストに表示されたコンテンツを選択すると、メイン制御部２０６がコンテンツ情報の詳細を表示するようにしてもよい。図６（ｂ）は、図６（ａ）を参照して述べたコンテンツリストが表示されている際に、携帯端末２の使用者が操作キー２０２を操作してタイトル「Ｆｏｏ」を持つコンテンツを選択し、そのコンテンツ情報をディスプレイ２０６に表示させた場合の画面表示例である。メイン制御部２０６は、ディスプレイ２０６にコンテンツ１０、コンテンツ１１、コンテンツ１２のコンテンツ情報を表示する。携帯端末２の使用者は、ディスプレイ２０６に表示されたコンテンツの選択し、選択したコンテンツに対するコンテンツの再生、コピー、移動、及び変換操作を行っても構わない。なお、図６（ａ）に示したコンテンツリストの表示内容は、コンテンツのタイトルに限られるものではなく、コンテンツのファイル名、コンテンツの作成日、あるいはコンテンツ識別情報など、種々のコンテンツ情報を表示させてもよい。
【００４２】
従来の電子機器におけるコンテンツリストの表示例を図６（ｃ）に示す。従来の電子機器におけるコンテンツリストは、ホームネットワーク内に存在するコンテンツをグループ化せずに表示するものであった。そのため、図５に示すホームネットワークにおいてコンテンツリストの表示を行うと、同一のタイトル「Ｆｏｏ」を持つコンテンツが３つ並んで表示されてしまうこととなる。同じタイトルを持つコンテンツが複数表示されてしまうことで、電子機器の使用者にとって表示されたコンテンツリストが煩雑に感じられる虞があった。本実施例においてはコンテンツをグループ化して表示するために、コンテンツの一覧性を保つことができ、電子機器の使用者によりわかりやすくコンテンツリストを認識させることができる。
【００４３】
なお、本実施例においては、コンテンツがオリジナルコンテンツと被コピーコンテンツあるいは被変換コンテンツの関係にある場合に、コンテンツをグループ化して表示する例を述べた。しかし、コンテンツをグループ化してコンテンツリストに登録する条件はこれに限定されるものではない。例えば、コンテンツリストに登録されているコンテンツのうち、同一のタイトルを持つコンテンツをグループ化してコンテンツリストに登録しても構わない。あるいは、コンテンツ情報の一要素、例えば動画形式、解像度、作成日、ＵＲＬ、及びコピー残り回数などの要素が共通するものをグループ化して、コンテンツリストに登録しても構わない。また、図６（ｂ）を参照して述べたコンテンツ情報の表示画面においては、オリジナルコンテンツを示す情報をディスプレイ２０６に表示させてもよい。
【００４４】
また、本実施例において、携帯端末２がコンテンツ検索操作を行い、携帯端末２のディスプレイ２０６にコンテンツリストを表示する例を述べた。しかし、コンテンツ検索操作のその表示方法はこれに限られるものではなく、例えばテレビ１がコンテンツ検索操作を行い、テレビ１の画面にコンテンツリストを表示させるものであっても構わない。あるいは、携帯端末２がコンテンツ検索操作を行い、テレビ１の画面にコンテンツリストを表示させるものであっても構わない。
【００４５】
（コンテンツの再生）
図８は、携帯端末２がホームネットワーク中の録画機器３の記憶部に格納されているコンテンツを、ディスプレイ２０３及びスピーカ２０４を用いて再生する様子を示した図である。図９は、コンテンツを再生した際の各電子機器における処理の流れを示したフローチャートである。以下、図８、図９を参照しながら、携帯端末２がコンテンツ再生を行った場合に、各電子機器がどの様な処理を行うのかについて説明する。なお、本実施例においては、携帯端末２がタイトル「Ｆｏｏ」を持つコンテンツの再生を行う場合の処理について述べる。
【００４６】
まず、携帯端末２の使用者が、操作キー２０２を通じて再生したいコンテンツのタイトルを指定する（ステップ２００１）。このタイトルの指定は、例えば図７（ａ）を参照しながら述べたコンテンツリストから所望のタイトルを選択することで行っても構わないし、あるいは操作キー２０２から所望のタイトル名を入力することで行っても構わない。また、再生したコンテンツの指定方法は、コンテンツのタイトル指定に限られない。例えば、再生したいコンテンツのコンテンツ作成日や、コンテンツのファイル名、コンテンツのアドレス情報、あるいはコンテンツ識別情報などの、様々なコンテンツ情報を用いてコンテンツを指定して構わない。
【００４７】
コンテンツのタイトルの指定が行われると、メイン制御部２０６は携帯端末２のコンテンツ再生能力を取得する（ステップ２００２）。本実施例においてコンテンツ再生能力とは、具体的にはディスプレイ２０３の解像度、スピーカ２０４のチャネル数、あるいはコンテンツ再生処理部で復号可能な動画の符号化方式などを指す。
【００４８】
コンテンツ再生能力の取得が行われると、メイン制御部２０６は記憶部２２０に格納されたコンテンツリストを参照し、コンテンツリストからコンテンツ情報を取得し、ステップ２００１で選択されたタイトル名を有するコンテンツのコンテンツ情報を抽出する（ステップ２００３）。
【００４９】
次に、コンテンツ情報の抽出が行われると、メイン制御部２０６は携帯端末２のコンテンツ再生能力とコンテンツ情報とを比較し、携帯端末２でコンテンツが再生可能であるか否かを判断する（ステップ２００４）。例えば、ディスプレイ２０３の解像度が３２０ピクセル×２４０ピクセルであったとすると、コンテンツ１０はそれより大きな１４４０ピクセル×１０８０ピクセルの解像度を持つため、ディスプレイ２０３でコンテンツ１０を正しく表示することができない。この場合には、メイン制御部２０６はコンテンツ１０を再生可能ではないと判断される（ステップ２００４のＮＯ）。あるいは、コンテンツ再生処理部２１７が３ＧＰ（Ｔｈｉｒｄ  Ｇｅｎｅｒａｔｉｏｎ  Ｐｅｒｔｎｅｒｓｈｉｐ  ｐｒｏｊｅｃｔ）に規定される符号化方式のみを復号可能であった場合、コンテンツ１１はＭＰＥＧ（Ｍｏｖｉｎ  Ｐｉｃｔｕｒｅ  Ｅｘｐｅｒｔｓ  Ｇｒｏｕｐ）に規定される符号化方式であるため、コンテンツ再生処理部２１７はコンテンツ１１を正しく復号することができない。この場合には、メイン制御部２０６はコンテンツ１１を再生可能ではないと判断される（ステップ２００４のＮＯ）。一方、コンテンツ１２は先述した解像度がディスプレイ２０３の解像度と同等であり、またコンテンツの符号化方式もコンテンツ再生処理部２１７で復号可能な符号化方式であるため、メイン制御部２０６はコンテンツ１１を再生可能であるとして判断する（ステップ２００４のＹＥＳ）。
【００５０】
メイン制御部２０６が、コンテンツを再生可能であると判断すると（ステップ２００４のＹＥＳ）、メイン制御部２０６は再生可能と判断されたコンテンツを再生可能リストに登録し、記憶部２２０に格納する（ステップ２００５）。その後、メイン制御部２０６は、コンテンツリストに登録されているコンテンツのうち全てのコンテンツに、ステップ２００４に述べた再生可否の判断を行ったか否かを判断する（ステップ２００６）。再生可否の判断が行われていないコンテンツがあるとメイン制御部２０６が判断した場合は（ステップ２００６のＮＯ）、メイン制御部２０６は再びステップ２００３に戻り処理を再開する。一方、全てのコンテンツについて再生可否の判断が行われたとメイン制御部２０６が判断した場合は（ステップ２００６のＹＥＳ）、メイン制御部２０６は、記憶部２２０を参照して再生可能リストに複数のコンテンツが登録されているか否かを判断する（ステップ２００７）。
【００５１】
複数のコンテンツが登録されているとメイン制御部２０６が判断した場合は（ステップ２００７のＹＥＳ）、メイン制御部２０６は複数のコンテンツのうち１つのコンテンツを選択する（ステップ２００８）。このコンテンツの選択方法は、例えば再生可能リストに登録されたコンテンツのうち、最も解像度の値が高いコンテンツを選択することで行われる。あるいは、再生可能リストに登録されたコンテンツのうち、最も音声の再生チャネル数の多いコンテンツを選択しても良い。これにより、電子機器の使用者は複数のコンテンツの中から、最も視聴時の質の高いコンテンツを自動で選択することができる。あるいは、コンテンツの選択はコンテンツの符号化方式によって選択されても構わないし、再生可能リストに登録されたコンテンツの中にオリジナルコンテンツが登録されている場合は、オリジナルコンテンツを優先して選択しても構わない。あるいは、再生可能リストに登録されたコンテンツのうち最も作成日が新しいコンテンツを選択しても構わない。あるいは、その他のコンテンツ情報に基づいて選択するものであっても構わないし、再生可能リストに登録されたコンテンツの中からランダムに１つのコンテンツを選択するものであっても構わない。
【００５２】
一方、再生可能リストに登録されたコンテンツが１つであった場合は（ステップ２００７のＮＯ）、メイン制御部２０６は当該登録されたコンテンツを選択する。
【００５３】
コンテンツの選択が行われると、メイン制御部２０６は選択したコンテンツの再生要求を、当該コンテンツを記憶部に格納する電子機器に対して、近距離無線通信部２０１を介して送信する（ステップ２００９）。例えばタイトル「Ｆｏｏ」を持つコンテンツ１２が選択されたとすると、コンテンツの再生要求はコンテンツ１２を記憶部３２０に格納する録画機器３に対して送信される。録画機器３は近距離無線通信部３０１を介して再生要求を受信し、これをメイン制御部３０６へと送信する。メイン制御部３０６は、この再生要求に応じて近距離無線通信部３０１を介してコンテンツ１１を携帯端末２へと送信する（ステップ２０１０）。携帯端末２のメイン制御部２０６は、近距離無線通信部２０１を介してコンテンツ１１を受信し、記憶部２２０へと格納する。メイン制御部２０６はコンテンツ再生処理部２１７を介してコンテンツ１１の再生処理を行う（ステップ２０１１）。
【００５４】
ここで、コンテンツ録画機器３と携帯端末２との間で行われるコンテンツ１１の送受信処理は、所謂ストリーミングによる送受信が行われる。ストリーミングによる送受信は、例えば録画機器３のメイン制御部３０６がコンテンツ１１を小さなデータサイズにより構成されるデータブロックに分割し、メイン制御部３０６が近距離無線部３０１を通じデータブロック単位でデータを送信することにより行われる。携帯端末２のメイン制御部２０６は、近距離無線部２０１を通じてデータブロック単位でのコンテンツ１１の受信を行う。受信したデータブロックは記憶部２２０へと格納され、コンテンツ再生処理部２１７を介してデータブロック単位での再生処理が行われる。そして、メイン制御部２０６は、再生の終了したデータブロックを記憶部２２０から破棄する。データブロック単位のデータの送受信を次々に行うことにより、コンテンツ再生処理部２１７は途切れなくコンテンツ１１の再生を行うことができる。
【００５５】
また、コンテンツ１１の再生方法はこれに限られるものではなく、例えば以下の方法に基づいてコンテンツ１１の再生を行っても構わない。まず、録画機器３のメイン制御部３０６がコンテンツ１１の全てのデータを送信する。携帯端末２のメイン制御部２０６はコンテンツ１１を記憶部２２０へ格納し、コンテンツ再生処理部２１７を通じてコンテンツ１１の再生を行う。そして、メイン制御部２０６はコンテンツ１１の再生が終了すると、記憶部２２０に格納されたコンテンツ１１のデータを削除する。
【００５６】
以上の処理によって、電子機器の使用者が再生を所望するコンテンツのタイトルを入力することで、ホームネットワーク内にあるコンテンツのうち再生機器に合わせた最適なコンテンツを自動で選択して再生することが可能となる。なお、再生リストの作成処理、再生リスト中のコンテンツの選択処理などは、携帯端末２の他に各電子機器が行うものであっても構わない。
【００５７】
（コンテンツの再生指示）
図１０は、録画機器３の記憶部に格納されているコンテンツを、テレビ１を用いて再生する様子を示した図である。コンテンツの選択やテレビ１への再生指示は、携帯端末２を介して行われる。図１１は、携帯電話２がコンテンツの再生指示を送信した際のテレビ１、携帯電話機２及び録画機器３処理の流れを示したフローチャートである。以下、図１０、図１１を参照しながら、携帯端末２がコンテンツ再生を行った場合に、各電子機器がどの様な処理を行うのかについて説明する。なお、本実施例においては、携帯端末２がタイトル「Ｆｏｏ」を持つコンテンツの再生を、テレビ１を用いて行う場合の処理について述べる。
【００５８】
まず、携帯端末２の使用者が操作キー２０２を通じて、ホームネットワーク中に存在し、コンテンツを再生し得る電子機器の検索指示を行う。携帯端末２のメイン制御部２０６は、近距離無線通信部２０１を通じて各電子機器へ検索要求を送信する（ステップ３００１）。本実施例において検索要求はテレビ１、録画機器３、及び録画機器４へと送信される。検索要求を受信した各電子機器は、自身がコンテンツを再生可能である事を示す検索応答を、携帯端末２へと送信する。本実施例においては、コンテンツ再生が可能である電子機器はテレビ１であるため、テレビ１が検索応答を携帯端末２へと送信する（ステップ３００２）。携帯端末２の使用者は操作キー２０２を通じて、再生したいコンテンツの選択を行う（ステップ３００３）。このコンテンツの選択は、例えば先述したコンテンツリストから使用者が再生を希望するコンテンツを選択することで行われる。続いて、携帯端末２の使用者は操作キー２０２を通じて、コンテンツの再生を行わせたい電子機器の選択を行う（ステップ３００４）。この電子機器の選択は、例えばステップ３００２で述べた検索応答のあった電子機器のうち、使用者が再生を行わせたい電子機器を選択することで行われる。本実施例においては、携帯端末２の使用者はタイトル「Ｆｏｏ」を持つコンテンツを、テレビ１を用いて再生する例を述べる。使用者による再生コンテンツ及び電子機器の選択が行われると、メイン制御部２０６は近距離無線通信部２０１を用いて再生要求をテレビ１へと送信する。この再生要求には、ステップ３００３で選択されたコンテンツ情報が含まれる。
【００５９】
再生要求を受信したテレビ１は、コンテンツの再生能力の取得を行い、コンテンツの取得及び再生を行う。図１１のステップ３００６からステップ３０１５に示す処理は、図９を参照して説明したステップ２００２からステップ２０１１で先述した処理と同様であるため、説明を省略する。
【００６０】
以上の処理によって、電子機器の使用者が再生を所望するコンテンツのタイトル及び再生を希望する電子機器を選択することで、ホームネットワーク内にある所望の電子機器を用いてコンテンツを再生することが可能となる。なお、本実施例においては再生要求を受信したテレビ１がステップ３００６からステップ３０１２の処理を行うものとして述べたが、テレビ１の替わりに再生要求を送信した携帯端末２や、その他の電子機器がステップ３００６からステップ３０１２の処理を行うものとしても構わない。
【００６１】
（コンテンツのコピー）
図１２は、携帯端末２がホームネットワーク中の電子機器の記憶部に格納されているコンテンツをコピー操作し、携帯端末２の記憶部２２０へとコピーする様子を示した図である。図１３は、コピー操作を行う際の各電子機器における処理の流れを示したフローチャートである。以下、図１２、図１３を参照しながら、携帯端末２がコピー操作を行った場合に、各電子機器がどの様な処理を行うのかについて説明する。なお、本実施例においては、携帯端末２がコンテンツ１２を記憶部２２０へとコピーする場合の処理について述べる。
【００６２】
まず、携帯端末２の使用者が、操作キー２０２を通じてコピーを行いたいコンテンツのタイトルを指定する（ステップ４００１）。このタイトルの指定は、例えば図７（ａ）を参照しながら述べたコンテンツリストから所望のタイトルを選択することで行っても構わないし、あるいは操作キー２０２から所望のタイトル名を入力することで行っても構わない。そして、メイン制御部２０６は記憶部２２０に格納されたコンテンツリストを参照し、コンテンツリスト中のコンテンツにコピーの可否判断が未だ行われていないコンテンツがあるか否かを判断する（ステップ４００２）。メイン制御部２０６が、コンテンツリスト中の全てのコンテンツを確認し、コピー可能なコンテンツが存在しないと判断すると（ステップ４００２のＮＯ）、メイン制御部２０６はコピー処理を中断する（ステップ４００３）。
【００６３】
一方、メイン制御部２０６が、コンテンツリスト中にコピーの可否を未だ判断していないコンテンツが存在すると判断すると（ステップ４００２のＹＥＳ）、メイン制御部２０６はコンテンツリストからコンテンツ識別情報を取得する（ステップ４００４）。そして、コンテンツ取得制御部２０８がコンテンツ識別情報を読み取ることで、メイン制御部２０６はコンテンツがオリジナルコンテンツか否かを判断する（ステップ４００５）。例えばダビング１０などのコンテンツ保護法式によって保護されたコンテンツは、オリジナルコンテンツでないコンテンツをコピー操作することができない。そのため、メイン制御部２０６はコンテンツがオリジナルコンテンツでないと判断すると（ステップ４００５のＮＯ）、ステップ４００２に戻り他のコンテンツの判断を行う。一方、制御部２０６はコンテンツがオリジナルコンテンツであると判断すると（ステップ４００５のＹＥＳ）、メイン制御部２０６は当該コンテンツのコンテンツ識別情報から、当該コンテンツを記憶部に格納している電子機器を識別する。
【００６４】
なお、コンテンツ取得制御部２０８がコピー可能回数を読み取り可能な場合には、ステップ４００５でコンテンツ取得制御部２０８がオリジナルコンテンツの情報の他に、コピー可能回数を読み取るものであっても構わない。この場合、メイン制御部２０６は、ステップ４００５においてコピー可能回数が０回である場合にはＮＯ、コピー可能回数が１回以上である場合にはＹＥＳと判断する。ステップ４００５においてメイン制御部２０６がＹＥＳと判断した場合は、メイン制御部２０６は近距離無線通信部２０１を介して、識別した電子機器へとコピー要求を送信する（ステップ４００６）。本実施例においては携帯端末２がタイトル「Ｆｏｏ」を持つコンテンツのコピー要求を行うため、オリジナルコンテンツであるコンテンツ１１を記憶部３２０に格納する録画機器３へとコピー要求が送信されることとなる。
【００６５】
ここで、本実施例においてはコンテンツがオリジナルコンテンツであると判断された場合はメイン制御部２０６がコピー要求を送信する例を述べた。ホームネットワーク中にオリジナルコンテンツが複数存在する場合には、メイン制御部２０６がコンテンツ再生処理部２１７の再生能力を取得し、メイン制御部２０６が図９のステップ２００８で述べたコンテンツの選択処理に基づいてコピーするコンテンツを選択してもよい。
【００６６】
コピー要求を受信した録画機器３の近距離無線通信部３０１は、メイン制御部３０６へとコピー要求を送信する。メイン制御部３０６はコピー要求を受信すると、記憶部３２０に格納されたコンテンツ情報を参照し、コピー要求を受けたコンテンツのコピー可能回数を読み取る（ステップ４００８）。そして、メイン制御部３２０はこのコピー可能回数が０回である場合にはコピー操作が不可能であると判断し（ステップ４００８のＮＯ）、コピー禁止通知を近距離無線通信部３０１を通じて携帯端末２へと送信する（ステップ４００９）。
【００６７】
一方、メイン制御部は、コピー可能回数が１回以上である場合にはコピー操作が可能であると判断し（ステップ４００８のＹＥＳ）、当該コンテンツのコピー可能回数を１回分減少させる（ステップ４０１０）。そして、メイン制御部２０６は当該コンテンツの複製を作成し、記憶部３２０へと格納させる（ステップ４０１１）。そして、コンテンツ取得制御部３０８は、コピーされたコンテンツにコンテンツ識別情報、及びオリジナルコンテンツ情報を付与する（ステップ４０１２）。本実施例においては、コピーされたコンテンツのオリジナルコンテンツ識別情報には、「１２３４５６７８」などのコンテンツ１０のコンテンツ識別情報が付与されることとなる。そして、メイン制御部３０６は、近距離無線通信部３０１を介して、携帯端末２へとコピーされたコンテンツを送信する（ステップ４０１３）。
【００６８】
なお、ステップ４００５において、メイン制御部２０６がオリジナルコンテンツ情報の替わりにコピー可能回数を用いてコピー操作の可否を判断していた場合には、ステップ４００７からステップ４００９に述べたコピー可能回数の確認処理を省略しても構わない。また、本実施例においては携帯端末２がコピー要求を送信し、携帯端末２の記憶部２２０へコピーされたコンテンツを格納させる例を示した。しかし、本発明はこれに限られるものではなく、例えば携帯端末２が送信するコピー要求によって、他の電子機器である録画機器４の記憶部へコピーされたコンテンツを格納させても構わない。また、コンテンツ１０のコピーは、コンテンツ１０と同等のデータを記憶部２２０へと格納させることで行っても構わないし、携帯端末２の再生能力に合わせて変換されたコンテンツを記憶部２２０へと格納させることで行っても構わない。
【００６９】
以上の処理によって、電子機器の使用者がコピーを所望するコンテンツのタイトルを入力することで、ホームネットワーク中にあるコンテンツのうち、コピーが可能なコンテンツを自動で選択してコピー操作を行うことが可能となる。
【００７０】
上述した一連の処理によって、ホームネットワーク中の各電子機器は、オリジナルコンテンツ識別情報を用いたコンテンツの管理を行う。これにより、電子機器の使用者は、例えばオリジナルコンテンツと被コピーコンテンツ、及び被加工コンテンツをグループ化してコンテンツリストに表示させることが可能となる。これにより、電子機器の使用者は一覧性の高いコンテンツリストを閲覧することができる。また、コンテンツの再生処理やコピー処理を行う際に、オリジナルコンテンツ情報などのコンテンツ情報を用いて再生するコンテンツ、あるいはコピーするコンテンツの選択を行う。これにより、電子機器の使用者はコンテンツのタイトルを選択する、という簡単な動作で、再生機器の能力などに合わせた最適なコンテンツを選択することが可能となる。
【００７１】
なお、本発明は、上記実施形態に限定されるものではなく、発明の要旨を逸脱しない範囲であれば、構成要素を変形して具体化しても良い。また、上記各実施形態に開示されている複数の構成要素の適宣な組み合わせにより、種々の発明を形成しても良い。例えば、各実施形態に示される全構成要素から幾つかの構成要素を削除してもよい。
【符号の説明】
【００７２】
１  テレビ
２  携帯端末
３  録画機器
４  録画機器
５  アクセスポイント
１０  コンテンツ
１１  コンテンツ
１２  コンテンツ
１３  コンテンツ
【図１】
0005418118.tif 000002
【図２】
0005418118.tif 000003
【図３】
0005418118.tif 000004
【図４】
0005418118.tif 000005
【図５】
0005418118.tif 000006
【図６】
0005418118.tif 000007
【図７】
0005418118.tif 000008
【図８】
0005418118.tif 000009
【図９】
0005418118.tif 000010
【図１０】
0005418118.tif 000011
【図１１】
0005418118.tif 000012
【図１２】
0005418118.tif 000013
【図１３】
0005418118.tif 000014